(57)【要約】【課題】  広告・宣伝用の画像を表示する電子式ディスプレイ装置を用い、保守・点検が簡単に行うことが出来る取付け構造の提供。【解決手段】  建物柱１の側面に凹部空間１０を設け、この凹部空間１０に蝶番８を介して揺動可能に取着したフレーム７にディスプレイ装置５を取付けて収容し、そして該ディスプレイ装置５の正面には透明なカバー６を継手１１を介して揺動可能に取付けている。【選択図】    図６
2011154248.tif 000002
【特許請求の範囲】
【請求項１】
広告・宣伝用の画像を表示する電子式ディスプレイ装置を取付ける為の取付け構造において、建物柱の側面に凹部空間を設け、この凹部空間に継手を介して揺動可能に取着したフレームに上記ディスプレイ装置を取付けて収容したことを特徴とする広告・宣伝用ディスプレイ装置の取付け構造。
【請求項２】
広告・宣伝用の画像を表示する電子式ディスプレイ装置を取付ける為の取付け構造において、円形断面柱の周りには枠組みした枠体にパネルを取付けて構成した筒を配置し、この筒の側面の一部を開口し、この開口部に継手を介して揺動可能に取着したフレームに上記ディスプレイ装置を取付けて筒内に収容したことを特徴とする広告・宣伝用ディスプレイ装置の取付け構造。
【請求項３】
広告・宣伝用の画像を表示する電子式ディスプレイ装置を取付ける為の取付け構造において、通路やロビーなどの壁面に凹部空間を設け、この凹部空間に継手を介して揺動可能に取着したフレームに上記ディスプレイ装置を取付けて収容したことを特徴とする広告・宣伝用ディスプレイ装置の取付け構造。
【請求項４】
上記ディスプレイ装置の正面には透明なカバーを継手を介して揺動可能に取付けた請求項１、請求項２、又は請求項３記載の広告・宣伝用ディスプレイ装置の取付け構造。
【請求項５】
上記カバーをディスプレイ装置の表面に取付けた請求項１、請求項２、又は請求項３記載の広告・宣伝用ディスプレイ装置の取付け構造。
【請求項６】
上記フレームの先端側下面を支える為の支持具を取付け、該支持具の高さを調整可能とした請求項１、請求項２、請求項３、請求項４、又は請求項５記載の広告・宣伝用ディスプレイ装置の取付け構造。
【発明の詳細な説明】
【技術分野】
【０００１】
本発明は大きなロビーやホール等、人が行き来したり出入りすることが出来る広い空間に設置されて広告・宣伝を行うことが出来る電子式ディスプレイ装置の取付け構造に関するものである。
【背景技術】
【０００２】
昔から宣伝・広告を目的として看板が使用されて来ている。一般的な看板として最も多用されているタイプはボード看板であり、社名や店名を表示する為に用いられている。近年では、ボードタイプの看板の他に電子式看板としてＬＥＤ看板、液晶看板も普及して色々な場所に設置されている。
【０００３】
特開平７−１２９１０７号に係る「電飾看板」は、繊細な表示を可能とし、悪戯されにくく、そのうえ経済的であり、火災の心配がなくなる電飾看板である。この電飾看板は文字や模様の表示部を設けた表示板と、その表示部に沿って配設した発光ダイオード群と、発光ダイオード群を点滅させる電気回路を備えている。
【０００４】
特開２００３−６６８７６号に係る「電気スタンド式看板」は、電源のない場所でも使用可能とする看板である。すなわち、基台の下面には運搬し易くするためのキャスタが設けられ、基台上には広告等の半透明の看板を備えた電飾看板が設けられている。電飾看板部内にはＡＣ用蛍光灯が設けられ、基台内には電源を供給するためのシールバッテリが固定されており、このシールバッテリには電源コードが接続されている。シールバッテリの充電は、この電気スタンド式看板を使用しない時間帯に行うことが好ましく、キャスタを用いて看板が邪魔にならない場所に移動して行う。基台の側面に設けたコード取出防雨カバーを開けて、基台の内部から電源コードをコードリールにより引き出し、コンセント等の外部電源に接続して充電することが出来る。
【０００５】
このように、従来の看板形態は色々知られている。又、出願人が平成２１年２月２６日付けで特許出願した「ボックス型ディスプレイ装置及びこれを用いた広告・宣伝方法」（特開２００９−３０１００９）は、液晶表示装置やプラズマ表示装置などの電子表示式ディスプレイ装置を取付けたボックス型ディスプレイ装置である。すなわち、この装置の形態を多角形断面のボックス型とし、縦枠と横枠にて構成した枠体の少なくとも１面にディスプレイ装置を取付け、該ディスプレイ装置の表面側をカバーする為にドアパネルを開閉可能に装着し、ドアパネルにはその中央部に透明なポリカーボネート板を取付けてディスプレイ装置の画像を見ることが出来るようにしている。
【０００６】
ところで、電子表示式のディスプレイ装置は従来のボード式看板とは異なり、定期的に保守・点検を行なわなくてはならない。その為に、従来のディスプレイ装置の取付け構造では保守・点検を行なう場合に不便な点が多い。
【特許文献１】特開平７−１２９１０７号に係る「電飾看板」
【特許文献２】特開２００３−６６８７６号に係る「電気スタンド式看板」
【特許文献３】特開２００９−３０１００９号に係る「ボックス型ディスプレイ装置及びこれを用いた広告・宣伝方法」
【発明の開示】
【発明が解決しようとする課題】
【０００７】
このように、従来の電子式ディスプレイ装置の取付け構造は保守・点検を考慮されていないために、故障した場合の補修や定期的な点検を行なうことが容易でない。本発明が解決しようとする課題はこの問題点であり、ディスプレイ装置が簡単にしかも安定して取付けられると共に、保守・点検を考慮したディスプレイ装置の取付け構造を提供する。
【課題を解決するための手段】
【０００８】
本発明に係る電子式ディスプレイ装置は継手を介して揺動するフレームに取付けられて開閉することが出来る。ディスプレイ装置はフレームを閉じることで凹部空間に収容され、開くならば凹部空間から外へはみ出してディスプレイ装置の裏側（背面側）を見ることが出来るようになる。上記フレームは建物の鉄骨又は筒体を構成する枠に継手を介して取付けられている。
【０００９】
そして、フレームが閉じてディスプレイ装置が凹部空間又は筒体内部に収容された場合、独りでに開かないように固定するロック装置を備えている。又、ディスプレイ装置が大きくなるとその重量は増大することから、フレーム下側にはディプレイ装置を支える為の支持具を取付けている。そして、ディスプレイ装置の表面を被覆することが出来るカバーを取付けている。
【発明の効果】
【００１０】
本発明に係るディスプレイ装置は継手を介して開閉するフレームに取付けられており、通常はフレームが閉じてディスプレイ装置は凹部空間又は筒体内に収容され、外からは裏側が見えないように成っている。しかし、保守・点検を行う場合には、フレームを開いてディスプレイ装置を外へ張出すならば、裏側を見ることが出来る。従って、裏面側のバックキャビネットの蓋を開いて保守・点検を行なうことが可能となる。すなわち、作業者はディスプレイ装置の狭い裏側に廻って保守・点検を行なう必要がない。勿論、ディスプレイ装置を取外して保守・点検を行なわなくてもよい。
【００１１】
そして、ディスプレイ装置はフレームが閉じると壁面又は側面に形成した空間内に収容されて壁面や側面から突出することはなく、ディスプレイ装置の表示面を被覆するカバーは壁面又は側面とほぼ同一面を構成している。従って、通行人にディスプレイ装置が当るといったことはない。又、閉じて空間内に収容されたディスプレイ装置は支持具によって支持され、開閉継手に作用する負荷を軽減している。
【図面の簡単な説明】
【００１２】
【図１】駅構内の通路に設けている柱側面にディスプレイ装置を取付けた場合。
【図２】ディスプレイ装置の正面図。
【図３】ディスプレイ装置の取付け構造を示す横断面図。
【図４】ディスプレイ装置の取付け構造を示す縦断面図。
【図５】ディスプレイ装置の正面に取付けたカバーが開いた場合。
【図６】フレームに取付けたディスプレイ装置が揺動する状態。
【図７】フレーム先端側下面を支持する支持具。
【図８】円形断面の柱の周りに据付けた筒にディスプレイ装置を取付けた場合。
【発明を実施するための形態】
【００１３】
図１は大きな空間を有す駅構内に設けている通路３に起立している複数の柱１ａ，１ｂ，１ｃ・・、２ａ，２ｂ，２ｃ・・・を表している。これら柱１ａ，１ｂ，１ｃ・・・、２ａ，２ｂ，２ｃ・・・は通路３の両側に一定間隔をおいて起立し、該駅の構内通路３には毎日多くの人が行き来する。特に都会の駅ともなれば、乗車客の数は膨大なもので、本発明ではこの柱１ａ，１ｂ，１ｃ・・・、２ａ，２ｂ，２ｃ・・・にディスプレイ装置５，５・・・を取付けている。
【００１４】
勿論、ディスプレイ装置５を取付ける場所を柱に限定するものではないが、同図に示す柱１ａ，１ｂ，１ｃ・・・、２ａ，２ｂ，２ｃ・・・は概略正方形断面の柱である。そこで、柱１ａ，１ｂ，１ｃ・・・、２ａ，２ｂ，２ｃ・・・は４側面を有しているが、通路壁面４に面している側を除いた３側面にディスプレイ装置５，５・・・が取付けられている。
【００１５】
ここで、ディスプレイ装置５としてはあくまでも電子式表示装置であり、例えば液晶型ディスプレイ装置、プラズマ型ディスプレイ装置が適している。そして、該ディスプレイ装置の表示画面には広告・宣伝が表示されて、多くの人の目に留まることが必要である。そこで、図１に示すような大きな通路３の両側に起立する複数の柱１ａ，１ｂ，１ｃ・・・、２ａ，２ｂ，２ｃ・・・に取付けている各ディスプレイ装置５，５・・・の表示画面を統一し、すなわち広告・宣伝内容を統一した表示とすることで、人の目に留まる効果は大きくなる。
【００１６】
例えば、全ての柱１ａ，１ｂ，１ｃ・・・、２ａ，２ｂ，２ｃ・・・の３面に取付けたディスプレイ装置５，５・・・に表示される画像を全て統一する場合、又は通路３に沿って正面側と内側のディスプレイ装置５，５・・・の画像を統一し、背面側のディスプレイ装置５，５・・・の画像を違わせた場合、さらには内側に位置するディスプレイ装置５，５・・・の画像、正面側ディスプレイ装置５，５・・・の画像、及び背面側ディスプレイ装置５，５・・・の画像をそれぞれ違わせた場合がある。
【００１７】
各柱１ａ，１ｂ，１ｃ・・・、２ａ，２ｂ，２ｃ・・・に取付けているディスプレイ装置５，５・・・の画像をバラバラで表示するよりも、統一した表示方式を採用することで大きな広告・宣伝効果上げることが出来る。ここで、各ディスプレイ装置５，５・・・・に表示される画像は、連続動画であったり、又は一定時間ごとに変わる静止画像とすることも出来、本発明ではその表示方式は限定しない。
【００１８】
図２、図３、図４は本発明に係るディスプレイ装置５の取付け構造を示す実施例であり、図２は正面図、図３は横断面図、図４は縦断面図をそれぞれ表している。同図の５はディスプレイ装置、６はカバー、７はフレーム、８は蝶番、９は鉄骨をそれぞれ表している。該ディスプレイ装置５はフレーム７にネジ止めによって取付けられ、そしてフレーム７は蝶番８を介して建物の一部を構成している鉄骨９に取着されている。
【００１９】
鉄骨９はコンクリートに埋着され、この鉄骨９に蝶番８を介して取着されたフレーム７は揺動してディスプレイ装置５を凹部空間１０から張出すことが出来る。ディスプレイ装置５はフレーム７に取付けられた状態で凹部空間１０に収容され、該ディスプレイ装置５の正面側にはカバー６が取付けられ、該カバー６も継手を介して開閉可能と成っている。ここで、同図に示す実施例では、フレーム７を揺動可能に取付けている継手として上記蝶番８を使用しているが、フレーム７及びディスプレイ装置５の荷重を支えるものであれば蝶番８には限定しない。例えば、ピボットヒンジとすることも出来る。
【００２０】
図５はカバー６を開いた場合を示している。カバー６は鉄骨９に固定した桟１２の先端に設けた継手１１を介し取付けられ、しかも該継手１１を介して同図に示すように開閉することが出来る。該カバー６は枠体に透明板を嵌めて構成され、ディスプレイ装置５の表示板の画像はカバー６を通して見ることが出来る。上記透明板は薄くても割れ難く、多少の衝撃を受けても破損し難いような材質を使用することが必要である。例えば、ポリカーボネート板、アクリル板などが適している。
【００２１】
図６はディスプレイ装置５が揺動して凹部空間１０から張出す場合を示している。勿論、上記カバー６は開いた状態とし、左側の鉄骨９に取着した桟１３に固定した蝶番８を介して揺動することが出来る。勿論、ディスプレイ装置５は蝶番８を介して取付けられたフレーム７に取付けられ、フレーム７と共に揺動して凹部空間１０から外へ張出すことが出来る。
【００２２】
ところで、フレーム７の先端にはＬ型をした止着板１４が取付けられ、鉄骨９に取着した桟１２にはロック１５が設けられている。ロック１５の先端にはボールが設けられ、フレーム７は揺動してディスプレイ装置５は凹部空間１０に収容されるならば、止着板１４はロック１５の先端ボールに係合してロックされる。該止着板１４はボールに当ることで撓み変形することが出来、しかも止着板１４には小さい穴又は凹溝を形成しており、該穴又は凹溝にボールが嵌って係合する。
【００２３】
一方、カバー６は裏側先端にマグネットが取付けられ、該カバー６を閉じると同時にマグネットにて止着される。しかも勝手に開かないように別に施錠する為のロック装置を設けている。ただし、該ロック装置の具体的な構造に関しては限定しないことにする。又、同図に示す実施例では、ディスプレイ装置５の表面を被覆することが出来るカバー６を別に設けているが、該ディスプレイ装置５の表面にカバー材を前以て取付けた構造とすることも可能である。
【００２４】
図７は支持具１６を表しているが、大きなディスプレイ装置５とも成れば、その重量は１００ｋｇ近くになる。この重いディスプレイ装置５を上記蝶番８によって支持するには該蝶番８に大きな負担をかけることになる。そこで、本発明ではディスプレイ装置５を取付けているフレーム７の先端側下面を支持具１６によって支えている。
【００２５】
フレーム７の先端側下面には受け１７を設け、そして支持具１６の上端にはボール１８を一部突出した構造とし、しかも該支持具１６の高さは自由に調整することが出来るようにしている。すなわち、フレーム７の高さに寸法バラツキを生じることから、支持具１６の高さを調整して受け１７に当接するようにしている。
【００２６】
一方、本発明のディスプレイ装置５が取付けられる場所は、図１の実施例で示した柱１ａ，１ｂ，１ｃ・・・、２ａ，２ｂ，２ｃ・・・に限るものではない。正方形断面の柱１ａ，１ｂ，１ｃ・・・、２ａ，２ｂ，２ｃ・・・は四方に側面を有し、この側面にディスプレイ装置５，５・・・を取付けることであらゆる方向からでも見ることが出来、又、人の目に留まる。ただし、柱１ａ，１ｂ，１ｃ・・・、２ａ，２ｂ，２ｃ・・・に限らず、例えば駅構内の通路壁面４にディスプレイ装置５，５・・・を一定間隔で配列する場合もある。
【００２７】
この場合には通路壁面４に凹部空間１０，１０・・・を設け、この凹部空間１０，１０・・・にディスプレイ装置５，５・・・が嵌って取付けられる。取付ける場所は違っても、継手を介して揺動するフレーム７にディスプレイ装置５を取付ける構造は共通している。
【００２８】
一方、図１に示す本発明のディスプレイ装置５は正方形断面の柱側面に形成した凹部空間１０に嵌って取付けられているが、図８に示すように円形断面の柱１９の周りに四角形の筒体２０を据付し、この筒体２０の側面２１の一部を開口してディスプレイ装置５を取付ける場合もある。勿論、該ディスプレイ装置５の取付け構造は上記実施例で説明したように、継手を介して揺動ずるフレーム７に取付けられ、さらにディスプレイ装置５の正面側には透明なカバー２２が継手を介して開閉可能に取付けられている。
【００２９】
ところで、上記四角形の筒体２０は枠組みした枠体にパネル２３，２３・・・を取付けた構造とし、該パネル２３，２３・・・の一部を開口している。そして、開口には継手を介して揺動するフレームが設けられ、ディスプレイ装置５は該フレームにネジ止めされて取付けられが、この取付け構造は前記実施例と同じである。
【００３０】
図１のように通路３に起立する柱１ａ，１ｂ・・・、２ａ，２ｂ・・・を利用してディスプレイ装置５，５・・・を取付けると通行人の目に留まり易く効果的であるが、円形断面の柱１９の場合には図８のように四角形の筒体２０を周りに据付、この四角形筒体２０を利用してディスプレイ装置５，５・・・が取付けられる。又、同図に示す実施例では、四角形の筒体としているが、該筒体の形状は多角形とし、ディスプレイ装置５を多角形筒体の側面を利用して取付けることが出来る。
【符号の説明】
【００３１】
１  柱
２  柱
３  通路
４  通路壁面
５  ディスプレイ装置
６  カバー
７  フレーム
８  蝶番
９  鉄骨
10  凹部空間
11  継手
12  桟
13  桟
14  止着板
15  ロック
16  支持具
17  受け
18  ボール
19  柱
20  筒体
21  側面
22  カバー
23  パネル
【図１】
2011154248.tif 000003
【図２】
2011154248.tif 000004
【図３】
2011154248.tif 000005
【図４】
2011154248.tif 000006
【図５】
2011154248.tif 000007
【図６】
2011154248.tif 000008
【図７】
2011154248.tif 000009
【図８】
2011154248.tif 000010